【手続補正書】
【提出日】平成17年12月9日(2005.12.9)
【手続補正１】
【補正対象書類名】特許請求の範囲
【補正対象項目名】全文
【補正方法】変更
【補正の内容】
【特許請求の範囲】
【請求項１】
無線通信システムで複数のユーザ機器（ＵＥ）と無線ＲＦ通信を行う基地局であって、
ＲＦモジュールおよび関連するアンテナアレイシステムと、
前記ＲＦモジュールと関連して動作し、前記アンテナアレイシステムが使用可能であるようなビーム範囲内の所望のビームを形成するビーム形成装置と、
前記アンテナアレイシステムの位置のデータに関してＵＥジオロケーションデータを処理し、選択されたパラメータをビーム形成装置に出力するように構成されている前記ビーム形成装置に結合され、前記ビーム形成装置は選択されたＵＥの推定位置に対応するジオロケーションデータがジオロケーションプロセッサにより処理される前記選択されたＵＥの前記推定位置を包含するシェーピングされたビームで前記選択されているＵＥに対する通信データを送信または受信する前記ＲＦモジュールを制御する前記ジオロケーションプロセッサとを備えることを特徴とする基地局。
【請求項２】
前記ジオロケーションプロセッサは、送信ビーム到達範囲の領域ＡbeamをＲＦ位相φおよび送信電力Ｐの関数として推定することにより送信ビーム形成パラメータを計算し、そのときにθが前記基地局アンテナシステムの０度基準から測った前記ＵＥの角度を表し、ｄが前記基地局アンテナシステム位置から測った距離を表す場合に前記選択されたＵＥの前記相対的位置データ（θ，ｄ）がＡbeamの範囲内に収まるように位相φおよび送信電力Ｐが選択されるように構成されることを特徴とする請求項１に記載の基地局。
【請求項３】
前記アンテナシステムは、同じ位相および電力に対して異なる形状のビームを放射する複数のモードＭを有し、前記ジオロケーションプロセッサは、位相φ、送信電力Ｐ、およびアンテナシステムモードＭの関数として送信ビーム形成パラメータを計算し、送信ビーム形成を制御する位相φ、送信電力Ｐ、およびアンテナシステムモードＭの選択された組み合わせを表すパラメータを前記ビーム形成装置に出力するように構成されることを特徴とする請求項２に記載の基地局。
【請求項４】
前記ジオロケーションプロセッサは、ＲＦ位相の関数として受信ビーム到達範囲の領域を推定することにより受信ビーム形成パラメータを計算するように構成され、前記選択されたＵＥの前記相対的位置データが受信ビーム到達範囲の前記領域の範囲内に収まるように位相を選択することを特徴とする請求項３に記載の基地局。
【請求項５】
前記アンテナシステムは、同じ位相に対して異なる形状の受信ビームを放射する複数の受信モードを有し、前記ジオロケーションプロセッサは、位相およびアンテナシステム受信モードの関数として受信ビーム形成パラメータを計算し、受信ビーム形成を制御する位相およびアンテナシステム受信モードの選択された組み合わせを表すパラメータを前記ビーム形成装置に出力するように構成されることを特徴とする請求項４に記載の基地局。
【請求項６】
前記ＲＦモジュールは複数の送信ビームを供給する能力を有し、各送信ビームはＵＥの別々の組に対する通信信号を伝送することができ、
前記ビーム形成装置は前記ＲＦモジュールと関連して動作し、前記アンテナアレイシステムによって発生することができる送信ビーム範囲内の一組の所望の送信ビームを形成することを特徴とする請求項１に記載の基地局。
【請求項７】
前記ジオロケーションプロセッサは、θiが前記基地局アンテナシステムを基準として０度から測った前記ＵＥiの角度を表し、ｄiが前記基地局アンテナシステム位置から前記ＵＥiまでの距離を表す、複数の選択されたＵＥの各ＵＥiの相対的位置データ（θi、ｄi）に基づいて、ＲＦ位相φおよび送信電力Ｐの関数として送信ビーム到達範囲の一組の領域を推定することにより送信ビーム形成パラメータを計算するように構成され、その際に複数の選択されたＵＥの各ＵＥiの前記相対的位置データ（θi，ｄi）が送信ビーム到達範囲の複数の領域の組のうちの１つの領域の範囲内に収まるように位相φおよび送信電力Ｐを選択することを特徴とする請求項６に記載の基地局。
【請求項８】
前記アンテナシステムは同じ位相および電力に対して異なる形状のビームを放射する複数のモードＭを有し、前記ジオロケーションプロセッサは、位相φ、送信電力Ｐ、およびアンテナシステムモードＭの関数として送信ビーム形成パラメータを計算し、送信ビーム形成を制御する位相φ、送信電力Ｐ、およびアンテナシステムモードＭの一組の選択された組み合わせを表すパラメータを前記ビーム形成装置に出力するように構成されることを特徴とする請求項７に記載の基地局。
【請求項９】
前記ジオロケーションプロセッサは、ＲＦ位相の関数として受信ビーム到達範囲の領域を推定することにより受信ビーム形成パラメータを計算するように構成され、前記選択されたＵＥの前記相対的位置データが受信ビーム到達範囲の前記領域の範囲内に収まるように位相を選択することを特徴とする請求項６に記載の基地局。
【請求項１０】
前記ＲＦモジュールは複数の受信ビームを供給する能力を有し、各受信ビームはＵＥの別々の組に対する通信信号を伝送することができ、
前記アンテナシステムは、同じ位相に対して異なる形状の受信ビームを放射する複数の受信モードを有し、
前記ビーム形成装置は前記ＲＦモジュールと関連して動作し、前記アンテナアレイシステムの受信ビーム能力範囲内の一組の所望の受信ビームを形成することを特徴とする請求項９に記載の基地局。
【請求項１１】
前記ジオロケーションプロセッサは、送信ビーム到達範囲の領域ＡbeamをＲＦ位相φの関数として推定することにより受信ビーム形成パラメータを計算し、そのときにθが前記基地局アンテナシステムの０度基準から測った前記ＵＥの角度を表し、ｄが前記基地局アンテナシステム位置から測った距離を表す場合に前記選択されたＵＥの前記相対的位置データ（θ，ｄ）がＡbeamの範囲内に収まるように位相φが選択されるように構成されることを特徴とする請求項１に記載の基地局。
【請求項１２】
前記アンテナシステムは、同じ位相に対して異なる形状のビームを放射する複数のモードＭを有し、前記ジオロケーションプロセッサは、位相φおよびアンテナシステムモードＭの関数として受信ビーム形成パラメータを計算し、受信ビーム形成を制御する位相φおよびアンテナシステムモードＭの選択された組み合わせを表すパラメータを前記ビーム形成装置に出力するように構成されることを特徴とする請求項１１に記載の基地局。
【請求項１３】
前記ＲＦモジュールは複数の受信ビームを供給する能力を有し、各受信ビームはＵＥの別々の組に対する通信信号を伝送することができ、
前記ビーム形成装置は前記ＲＦモジュールと関連して動作し、前記アンテナアレイシステムの受信ビーム能力範囲内の一組の所望の受信ビームを形成することを特徴とする請求項１１に記載の基地局。
【請求項１４】
前記ジオロケーションプロセッサは、θiが前記基地局アンテナシステムを基準として０度から測った前記ＵＥiの角度を表し、ｄiが前記基地局アンテナシステム位置から前記ＵＥiまでの距離を表す、複数の選択されたＵＥの各ＵＥiの相対的位置データ（θi、ｄi）に基づいて、ＲＦ位相φの関数として受信ビーム到達範囲の一組の領域を推定することにより受信ビーム形成パラメータを計算するように構成され、その際に複数の選択されたＵＥの各ＵＥiの前記相対的位置データ（θi，ｄi）が受信ビーム到達範囲の複数の領域の組のうちの１つの領域の範囲内に収まるように位相φを選択することを特徴とする請求項１３に記載の基地局。
【請求項１５】
前記アンテナシステムは、同じ位相に対して異なる形状のビームを放射する複数のモードＭを有し、前記ジオロケーションプロセッサは、位相φおよびアンテナシステムモードＭの関数として受信ビーム形成パラメータを計算し、受信ビーム形成を制御する位相φおよびアンテナシステムモードＭの選択された組み合わせを表すパラメータを前記ビーム形成装置に出力するように構成されることを特徴とする請求項１４に記載の基地局。
【請求項１６】
請求項１に記載の複数の基地局を含むことを特徴とする無線通信システム。
【請求項１７】
複数の移動体ユーザ機器（ＵＥ）をさらに備え、各ＵＥは、
関連するアンテナを有するＲＦモジュールと、
前記基地局での使用のためデータが前記ＵＥ  ＲＦモジュールアンテナから送信される衛星利用測位（ＧＰＳ）システムを使用して現在のＵＥジオロケーションデータを判別するように構成されたジオロケーションプロセッサとを含むことを特徴とする請求項１６に記載の無線通信システム。
【請求項１８】
複数の移動体ユーザ機器（ＵＥ）をさらに備え、各ＵＥは、
ＲＦモジュールおよび関連するアンテナアレイシステムと、
前記ＲＦモジュールと関連して動作し、前記アンテナアレイシステムが発生することができるビーム範囲内の所望のビームを形成するビーム形成装置と、
選択された基地局の前記知られている位置のデータに関する推定ＵＥ位置のＵＥジオロケーションデータを処理し、選択されたパラメータを前記ビーム形成装置に出力するように構成されている前記ビーム形成装置に結合され、前記ビーム形成装置は選択された基地局の前記知られている位置に関するＵＥジオロケーションデータが前記ジオロケーションプロセッサにより処理される前記選択された基地局の前記知られている位置を包含するシェーピングされたビームで前記選択されている基地局に対する通信データを送信または受信する前記ＲＦモジュールを制御する前記ジオロケーションプロセッサとを含むことを特徴とする請求項１６に記載の無線通信システム。
【請求項１９】
無線通信システムで位置が知られている基地局と無線ＲＦ通信を行うユーザ機器であって、
ＲＦモジュールおよび関連するアンテナアレイシステムと、
前記ＲＦモジュールと関連して動作し、前記アンテナアレイシステムが発生することができるビーム範囲内の所望のビームを形成するビーム形成装置と、
選択された基地局の前記知られている位置のデータに関する推定ＵＥ位置のＵＥジオロケーションデータを処理し、選択されたパラメータを前記ビーム形成装置に出力するように構成されている前記ビーム形成装置に結合され、前記ビーム形成装置は選択された基地局の前記知られている位置に関するＵＥジオロケーションデータがジオロケーションプロセッサにより処理される前記選択された基地局の前記知られている位置を包含するシェーピングされたビームで前記選択されている基地局に対する通信データを送信または受信する前記ＲＦモジュールを制御する前記ジオロケーションプロセッサとを備えることを特徴とするユーザ機器。
【請求項２０】
前記ジオロケーションプロセッサは、送信ビーム到達範囲の領域ＡbeamをＲＦ位相φおよび送信電力Ｐの関数として推定することにより送信ビーム形成パラメータを計算し、そのときにθが前記推定されたＵＥ位置の０度基準から測った前記選択された基地局の角度を表し、ｄが前記推定されたＵＥ位置と前記選択された基地局の前記知られている位置との間の距離を表す場合に前記選択された基地局の前記知られている位置に関する前記推定されたＵＥ位置の相対的位置データ（θ，ｄ）がＡbeamの範囲内に収まるように位相φおよび送信電力Ｐが選択されるように構成されることを特徴とする請求項１９に記載のＵＥ。
【請求項２１】
前記アンテナシステムは同じ位相および電力に対して異なる形状のビームを放射する複数のモードＭを有し、前記ジオロケーションプロセッサは、位相φ、送信電力Ｐ、およびアンテナシステムモードＭの関数として送信ビーム形成パラメータを計算し、送信ビーム形成を制御する位相φ、送信電力Ｐ、およびアンテナシステムモードＭの選択された組み合わせを表すパラメータを前記ビーム形成装置に出力するように構成されることを特徴とする請求項１９に記載のＵＥ。
【請求項２２】
前記ジオロケーションプロセッサは、ＲＦ位相の関数として受信ビーム到達範囲の領域を推定することにより受信ビーム形成パラメータを計算するように構成され、前記選択された基地局の前記相対的位置データが受信ビーム到達範囲の前記領域の範囲内に収まるように位相を選択することを特徴とする請求項２０に記載のＵＥ。
【請求項２３】
前記アンテナシステムは、同じ位相に対して異なる形状の受信ビームを放射する複数の受信モードを有し、前記ジオロケーションプロセッサは、位相およびアンテナシステム受信モードの関数として受信ビーム形成パラメータを計算し、受信ビーム形成を制御する位相およびアンテナシステム受信モードの選択された組み合わせを表すパラメータを前記ビーム形成装置に出力するように構成されることを特徴とする請求項２１に記載のＵＥ。
【請求項２４】
無線通信システムであって、
複数のユーザ機器（ＵＥ）との無線ＲＦ通信を実行する複数の基地局であって、
それぞれの基地局は、
ＲＦモジュールおよび所定の位置および前記基地局のうちの少なくとも他の１つの送信範囲と重なる地理的送信範囲に配置されている関連するアンテナシステムと、
前記ＲＦモジュールと関連して動作し、前記基地局のアンテナアレイシステムが発生することができるビーム範囲内の所望の一組のビームを形成するビーム形成装置とを有する基地局と、
前記基地局および１つまたは複数の関連するジオロケーションプロセッサを相互接続するネットワークインターフェースであって、前記ジオロケーションプロセッサは、
送信範囲が前記選択されたＵＥの推定位置を包含する基地局のアンテナアレイシステムの位置データに関して選択されたＵＥの前記推定位置に対応するＵＥジオロケーションデータを処理し、
前記選択されたＵＥを複数のグループに分配し、各グループでは送信範囲が前記選択されたＵＥの前記推定位置を包含する基地局のうち選択された基地局との通信を維持し、
送信範囲が前記推定位置を包含する基地局の前記ビーム形成装置に選択されたパラメータを出力し、選択された基地局は、それぞれのＵＥの前記推定位置を包含するシェーピングされたビームで分配されたＵＥの前記対応するグループのＵＥ毎に通信データを送信するように構成されているネットワークインターフェースとを備えることを特徴とする無線通信システム。
【請求項２５】
各選択されたＵＥに対する通信データはサービス品質およびデータ転送速度の要件を有し、前記ネットワークインターフェースおよび関連するジオロケーションプロセッサは前記選択されたＵＥに送信される前記通信データのサービス品質およびデータ転送速度の要件に一部基づき前記選択されたＵＥを複数のグループに分けるように構成されていることを特徴とする請求項２４に記載の無線通信システム。
【請求項２６】
各選択されたＵＥのジオロケーションデータは前記ＵＥの推定相対的速度データを含み、前記ネットワークインターフェースおよび関連するジオロケーションプロセッサは前記選択されたＵＥの前記推定された位置に対応する前記ジオロケーションデータおよび相対的推定速度データの両方に一部基づき前記選択されたＵＥを複数のグループに分けるように構成されていることを特徴とする請求項２４に記載の無線通信システム。
【請求項２７】
各選択されたＵＥに対する通信データはサービス品質およびデータ転送速度の要件を有し、前記ネットワークインターフェースおよび関連するジオロケーションプロセッサは前記選択されたＵＥに送信される前記通信データのサービス品質およびデータ転送速度の要件に一部基づき前記選択されたＵＥを複数のグループに分けるように構成されていることを特徴とする請求項２６に記載の無線通信システム。
【請求項２８】
各基地局は、アンテナアレイシステムの前記所定の位置に関してＵＥジオロケーションデータを処理し、選択されたパラメータをビーム形成装置に出力するように構成されている前記ビーム形成装置に結合されたジオロケーションプロセッサを含み、前記ビーム形成装置は前記推定位置に対応するジオロケーションデータが前記ジオロケーションプロセッサにより処理される選択されたＵＥの推定位置を包含するシェーピングされたビームで前記選択されたＵＥに対する通信データを送信するそのＲＦモジュールを制御することを特徴とする請求項２４に記載の無線通信システム。
【請求項２９】
ＵＥに対する通信データはサービス品質およびデータ転送速度の要件を有し、それぞれの基地局ジオロケーションプロセッサは、選択されたＵＥに送信される前記通信データの前記サービス品質およびデータ転送速度の要件に一部基づき前記選択されたＵＥに向けられたビームのビーム形成パラメータを計算するように構成されることを特徴とする請求項２８に記載の無線通信システム。
【請求項３０】
各選択されたＵＥのジオロケーションデータは前記ＵＥの推定相対的速度データを含み、それぞれの基地局ジオロケーションプロセッサは、選択されたＵＥの前記推定位置に対応する前記ジオロケーションデータおよび相対的推定速度データの両方に一部基づき前記選択されたＵＥに方向付けられたビームのビーム形成パラメータを計算するように構成されることを特徴とする請求項２９に記載の無線通信システム。
【請求項３１】
各基地局ジオロケーションプロセッサは、送信ビーム到達範囲の領域ＡbeamをＲＦ位相φおよび送信電力Ｐの関数として推定することにより送信ビーム形成パラメータを計算し、そのときにθが前記基地局アンテナシステムの０度基準から測った前記ＵＥの角度を表し、ｄが前記基地局アンテナシステム位置から測った距離を表す場合に前記選択されたＵＥの前記相対的位置データ（θ，ｄ）がＡbeamの範囲内に収まるように位相φおよび送信電力Ｐが選択されるように構成されることを特徴とする請求項２８に記載の無線通信システム。
【請求項３２】
各基地局アンテナシステムは、同じ位相および電力に対して異なる形状のビームを放射する複数のモードＭを有し、各基地局ジオロケーションプロセッサは、位相φ、送信電力Ｐ、およびアンテナシステムモードＭの関数として送信ビーム形成パラメータを計算し、送信ビーム形成を制御する位相φ、送信電力Ｐ、およびアンテナシステムモードＭの選択された組み合わせを表すパラメータを前記それぞれのビーム形成装置に出力するように構成されることを特徴とする請求項３１に記載の無線通信システム。
【請求項３３】
各基地局ジオロケーションプロセッサは、選択されたパラメータを前記基地局のビーム形成装置に出力するように構成され、前記基地局のビーム形成装置は、選択されたＵＥの推定位置に対応するジオロケーションデータが前記ジオロケーションプロセッサにより処理される場合の前記選択されたＵＥの前記推定位置を包含するシェーピングされたビームで前記選択されたＵＥに対する通信データを送信または受信する前記ＲＦモジュールを制御することを特徴とする請求項３２に記載の無線通信システム。
【請求項３４】
各基地局ジオロケーションプロセッサは、ＲＦ位相の関数として受信ビーム到達範囲の領域を推定することにより受信ビーム形成パラメータを計算するように構成され、前記選択されたＵＥの前記相対的位置データが受信ビーム到達範囲の前記領域の範囲内に収まるように位相が選択されることを特徴とする請求項３３に記載の無線通信システム。
【請求項３５】
各基地局アンテナシステムは、同じ位相に対して異なる形状の受信ビームを放射する複数の受信モードを有し、前記ジオロケーションプロセッサは、位相およびアンテナシステム受信モードの関数として受信ビーム形成パラメータを計算し、受信ビーム形成を制御する位相およびアンテナシステム受信モードの選択された組み合わせを表すパラメータを前記ビーム形成装置に出力するように構成されることを特徴とする請求項３４に記載の無線通信システム。
【請求項３６】
各基地局ＲＦモジュールは複数の送信ビームを供給する能力を有し、各送信ビームはＵＥの別々の組に対する通信信号を伝送することができ、
各ビーム形成装置は、前記ＲＦモジュールと関連して動作し、前記基地局のアンテナアレイシステムによって発生することができる送信ビーム範囲内の一組の所望の送信ビームを形成することを特徴とする請求項２８に記載の無線通信システム。
【請求項３７】
複数の移動体ユーザ機器（ＵＥ）をさらに備え、各ＵＥは、
関連するアンテナを有するＲＦモジュールと、
衛星利用測位（ＧＰＳ）システムを使用して現在のＵＥジオロケーションを判別するように構成されているジオロケーションプロセッサとを含むことを特徴とする請求項２４に記載の無線通信システム。
【請求項３８】
複数の移動体ユーザ機器（ＵＥ）をさらに備え、各ＵＥは、
ＲＦモジュールおよび関連するアンテナアレイシステムと、
前記ＲＦモジュールと関連して動作し、前記アンテナアレイシステムが発生することができるビーム範囲内の所望のビームを形成するビーム形成装置と、
選択された基地局の前記知られている位置のデータに関する推定ＵＥ位置のＵＥジオロケーションデータを処理し、選択されたパラメータを前記ビーム形成装置に出力するように構成されている前記ビーム形成装置に結合され、前記ビーム形成装置は選択された基地局の前記知られている位置に関するＵＥジオロケーションデータが前記ジオロケーションプロセッサにより処理される前記選択された基地局の前記知られている位置を包含するシェーピングされたビームで前記選択されている基地局に対する通信データを送信または受信する前記ＲＦモジュールを制御する前記ジオロケーションプロセッサとを含むことを特徴とする請求項２４に記載の無線通信システム。
【請求項３９】
送信範囲が重なり合う複数の基地局が複数のユーザ機器（ＵＥ）と無線ＲＦ通信を実行する無線通信システム内の基地局ＲＦ通信信号の方向を選択して決める方法であって、
ａ．基地局ＲＦ通信信号を受信する複数のＵＥのそれぞれの推定位置を決定するステップと、
ｂ．前記ＵＥ毎に、送信範囲に前記推定ＵＥ位置が包含される各基地局を識別するステップと、
ｃ．前記ＵＥ毎に、前記ＵＥ位置データおよび前記識別された基地局の所定の位置データを使用してそれぞれの識別された基地局に関して相対的ＵＥ位置データを判別するステップと、
ｄ．識別された基地局毎に、前記決定された相対的位置データに一部基づきビーム形成基準を計算し、各ＵＥはそのＵＥに対するＲＦ通信信号の送信元である特定の基地局に割り当てられるステップと、
ｆ．前記計算されたビーム形成基準に基づいて前記基地局から送信された前記ＵＥに対する基地局ＲＦ通信信号の一組の指向ビームを形成し、前記ＵＥ毎に、そのＵＥに対するＲＦ通信信号を有する指向ビームはそのＵＥに対する前記推定位置を包含するステップと、
ｇ．選択された基準に基づいてステップａ〜ｇを繰り返し、基地局送信ビームを動的に再構成するステップとを備えることを特徴とする方法。
【請求項４０】
各ＵＥに対する通信データはサービス品質およびデータ転送速度の要件を有し、各ＵＥが特定の基地局に割り当てられるようなビーム形成基準の前記計算は、前記ＵＥに送信される前記通信データの前記サービス品質およびデータ転送速度の要件に一部基づくことを特徴とする請求項３９に記載の方法。
【請求項４１】
各ＵＥの相対的位置データは前記ＵＥの推定相対的速度データを含み、各ＵＥが特定の基地局に割り当てられるようなビーム形成基準の前記計算は、前記推定ＵＥ位置に対応する前記相対的位置データおよび前記ＵＥの前記相対的推定速度データの両方に一部基づくことを特徴とする請求項３９に記載の方法。
【請求項４２】
各ＵＥに対する通信データはサービス品質およびデータ転送速度の要件を有し、各ＵＥが特定の基地局に割り当てられるようなビーム形成基準の前記計算は、前記ＵＥに送信される前記通信データの前記サービス品質およびデータ転送速度の要件に一部基づくことを特徴とする請求項４１に記載の方法。
【請求項４３】
ステップａ〜ｇを繰り返して、前記推定ＵＥ位置に対応する相対的位置データおよび前記ＵＥの前記相対的推定速度データの選択されたタイプの変化に基づいて基地局送信ビームを動的に再構成することを特徴とする請求項４１に記載の方法。
【請求項４４】
ステップａ〜ｇを繰り返して、前記ＵＥに送信される前記通信データの前記サービス品質およびデータ転送速度の要件の選択されたタイプの変化に基づいて基地局送信ビームを動的に再構成することを特徴とする請求項４０に記載の方法。
【請求項４５】
ステップａ〜ｇを繰り返して、選択されたタイプの基地局障害に基づき基地局送信ビームを動的に再構成することを特徴とする請求項３９に記載の方法。
【請求項４６】
ＵＥの推定位置の前記決定は、１つまたは複数の基地局によって受信されたＵＥ送信信号の通信システムでの三角測量により実行されることを特徴とする請求項３９に記載の方法。
【請求項４７】
ＵＥの推定位置の前記決定は、前記ＵＥで衛星利用測位システムを使用して実行されることを特徴とする請求項３９に記載の方法。
【請求項４８】
位置が知られており送信範囲が重なり合う基地局が移動体ユーザ機器（ＵＥ）との無線ＲＦ通信を実行する無線通信システムで基地局ＲＦ通信信号の方向を選択して決めるスマートハンドオーバ方法であって、
ａ．基地局からＲＦ通信信号を受信しており、複数の基地局の前記送信範囲内に配置されている移動体ＵＥの推定位置を決定するステップと、
ｂ．送信範囲に前記推定ＵＥ位置が包含される各基地局を識別するステップと、
ｃ．前記推定ＵＥ位置および前記基地局の知られている位置を使用して各識別されている基地局に関する相対的ＵＥ位置データを決定するステップと、
ｄ．前記決定された相対的位置データに一部基づいてビーム形成基準を計算し、前記ＵＥはそのＵＥに対するＲＦ通信信号の送信元である前記識別された基地局の１つに割り当てられるステップと、
ｆ．前記計算されたビーム形成基準に基づいて前記１つの基地局から送信された前記ＵＥに対する基地局ＲＦ通信信号の指向ビームを形成し、前記指向ビームはそのＵＥの前記推定位置を包含するステップと、
ｇ．選択された基準に基づいてステップａ〜ｇを繰り返し、基地局送信ビームを動的に再構成するステップとを備えることを特徴とするスマートハンドオーバ方法。
【請求項４９】
前記ＵＥに対する通信データはサービス品質およびデータ転送速度の要件を含み、前記ＵＥが前記識別された基地局の１つに割り当てられるようなビーム形成基準の前記計算は、前記ＵＥに送信される前記通信データの前記サービス品質およびデータ転送速度の要件に一部基づくことを特徴とする請求項４８に記載の方法。
【請求項５０】
前記ＵＥの相対的位置データは前記ＵＥの推定相対的速度データを含み、各ＵＥが前記識別された基地局の１つに割り当てられるようなビーム形成基準の前記計算は、前記推定ＵＥ位置に対応する前記相対的位置データおよび前記ＵＥの前記相対的推定速度データの両方に一部基づくことを特徴とする請求項４８に記載の方法。
【請求項５１】
前記ＵＥに対する通信データはサービス品質およびデータ転送速度の要件を有し、各ＵＥが前記識別された基地局の１つに割り当てられるようなビーム形成基準の前記計算は、前記ＵＥに送信される前記通信データの前記サービス品質およびデータ転送速度の要件に一部基づくことを特徴とする請求項５０に記載の方法。
【請求項５２】
ステップａ〜ｇを繰り返して、前記推定ＵＥ位置に対応する相対的位置データおよび前記ＵＥの前記相対的推定速度データの選択されたタイプの変化に基づいて基地局送信ビームを動的に再構成することを特徴とする請求項５０に記載の方法。
【請求項５３】
ステップａ〜ｇを繰り返して、前記ＵＥに送信される前記通信データの前記サービス品質およびデータ転送速度の要件の選択されたタイプの変化に基づいて基地局送信ビームを動的に再構成することを特徴とする請求項４９に記載の方法。
【請求項５４】
ステップａ〜ｇを繰り返して、選択されたタイプの基地局障害に基づき基地局送信ビームを動的に再構成することを特徴とする請求項４８に記載の方法。
【請求項５５】
前記ＵＥの推定位置の前記決定は、１つまたは複数の基地局によって受信されたＵＥ送信信号の通信システムでの三角測量により実行されることを特徴とする請求項４８に記載の方法。
【請求項５６】
前記ＵＥの推定位置の前記決定は、前記ＵＥで衛星利用測位システムを使用して実行されることを特徴とする請求項４８に記載の方法。
【請求項５７】
無線通信システムであって、
移動体ユーザ機器（ＵＥ）との無線ＲＦ通信を実行する複数の基地局であって、
それぞれの基地局は、
ＲＦモジュールおよび所定の位置および前記基地局のうちの少なくとも他の１つの送信範囲と重なる地理的送信範囲に配置されている関連するアンテナシステムと、
前記ＲＦモジュールと関連して動作し、前記基地局のアンテナアレイシステムが発生することができるビーム範囲内の所望の一組のビームを形成するビーム形成装置とを有する基地局と、
前記基地局および１つまたは複数の関連するジオロケーションプロセッサを相互接続するネットワークインターフェースであって、前記ジオロケーションプロセッサは、
送信範囲が選択されたＵＥの推定位置を包含する基地局のアンテナアレイシステムの位置データに関して選択された移動体ＵＥの推定位置に対応するＵＥジオロケーションデータを処理し、
送信範囲が選択されたＵＥの推定位置を包含する複数の基地局のうちの１つの基地局を選択し、
パラメータを前記選択された基地局の前記ビーム形成装置に出力し、前記選択された基地局は、前記選択されたＵＥの前記推定位置を包含するシェーピングされたビームで前記選択されたＵＥに対する通信データを送信するように構成されたネットワークインターフェースとを備えることを特徴とする無線通信システム。
【請求項５８】
前記選択されたＵＥに対する通信データはサービス品質およびデータ転送速度の要件を有し、前記ネットワークインターフェースおよび関連するジオロケーションプロセッサは前記選択されたＵＥに送信される前記通信データの前記サービス品質およびデータ転送速度の要件に一部基づき基地局を選択するように構成されていることを特徴とする請求項５７に記載の無線通信システム。
【請求項５９】
前記選択されたＵＥのジオロケーションデータは前記ＵＥの推定相対的速度データを含み、前記ネットワークインターフェースおよび関連するジオロケーションプロセッサは前記選択されたＵＥの前記推定された位置に対応する前記ジオロケーションデータおよび相対的推定速度データの両方に一部基づき基地局を選択するように構成されていることを特徴とする請求項５７に記載の無線通信システム。
【請求項６０】
前記選択されたＵＥに対する通信データはサービス品質およびデータ転送速度の要件を有し、前記ネットワークインターフェースおよび関連するジオロケーションプロセッサは前記選択されたＵＥに送信される前記通信データの前記サービス品質およびデータ転送速度の要件に一部基づき基地局を選択するように構成されていることを特徴とする請求項５９に記載の無線通信システム。
【請求項６１】
各基地局は、アンテナアレイシステムの前記所定の位置に関してＵＥジオロケーションデータを処理し、選択されたパラメータをビーム形成装置に出力するように構成されている前記ビーム形成装置に結合されたジオロケーションプロセッサを含み、前記ビーム形成装置は前記推定位置に対応するジオロケーションデータが前記ジオロケーションプロセッサにより処理される選択されたＵＥの推定位置を包含するシェーピングされたビームで前記選択されたＵＥに対する通信データを送信するそのＲＦモジュールを制御することを特徴とする請求項５７に記載の無線通信システム。
【請求項６２】
ＵＥに対する通信データはサービス品質およびデータ転送速度の要件を有し、それぞれの基地局ジオロケーションプロセッサは、選択されたＵＥに送信される前記通信データの前記サービス品質およびデータ転送速度の要件に一部基づき前記選択されたＵＥに向けられたビームのビーム形成パラメータを計算するように構成されることを特徴とする請求項６１に記載の無線通信システム。
【請求項６３】
前記ＵＥのジオロケーションデータは前記ＵＥの推定相対的速度データを含み、それぞれの基地局ジオロケーションプロセッサは、前記ＵＥの前記推定位置に対応する前記ジオロケーションデータおよび相対的推定速度データの両方に一部基づき前記ＵＥに方向付けられたビームのビーム形成パラメータを計算するように構成されることを特徴とする請求項６２に記載の無線通信システム。
【請求項６４】
各基地局ジオロケーションプロセッサは、送信ビーム到達範囲の領域ＡbeamをＲＦ位相φおよび送信電力Ｐの関数として推定することにより送信ビーム形成パラメータを計算し、そのときにθが前記基地局アンテナシステムの０度基準から測った前記ＵＥの角度を表し、ｄが前記基地局アンテナシステム位置から測った距離を表す場合に前記ＵＥの前記相対的位置データ（θ，ｄ）がＡbeamの範囲内に収まるように位相φおよび送信電力Ｐが選択されるように構成されることを特徴とする請求項６３に記載の無線通信システム。
【請求項６５】
各基地局アンテナシステムは、同じ位相および電力に対して異なる形状のビームを放射する複数のモードＭを有し、各基地局ジオロケーションプロセッサは、位相φ、送信電力Ｐ、およびアンテナシステムモードＭの関数として送信ビーム形成パラメータを計算し、送信ビーム形成を制御する位相φ、送信電力Ｐ、およびアンテナシステムモードＭの選択された組み合わせを表すパラメータを前記それぞれのビーム形成装置に出力するように構成されることを特徴とする請求項６４に記載の無線通信システム。
【請求項６６】
各基地局ジオロケーションプロセッサは、選択されたパラメータを前記基地局のビーム形成装置に出力するように構成され、前記基地局のビーム形成装置は、前記ＵＥの推定位置に対応するジオロケーションデータが前記ジオロケーションプロセッサにより処理される場合の前記ＵＥの前記推定位置を包含するシェーピングされたビームで前記ＵＥに対する通信データを送信または受信する前記ＲＦモジュールを制御することを特徴とする請求項６１に記載の無線通信システム。
【請求項６７】
各基地局ジオロケーションプロセッサは、ＲＦ位相の関数として受信ビーム到達範囲の領域を推定することにより受信ビーム形成パラメータを計算するように構成され、前記ＵＥの前記相対的位置データが受信ビーム到達範囲の前記領域の範囲内に収まるように位相が選択されることを特徴とする請求項６１に記載の無線通信システム。
【請求項６８】
各基地局アンテナシステムは、同じ位相に対して異なる形状の受信ビームを放射する複数の受信モードを有し、前記ジオロケーションプロセッサは、位相およびアンテナシステム受信モードの関数として受信ビーム形成パラメータを計算し、受信ビーム形成を制御する位相およびアンテナシステム受信モードの選択された組み合わせを表すパラメータを前記ビーム形成装置に出力するように構成されることを特徴とする請求項６７に記載の無線通信システム。
【請求項６９】
各基地局ＲＦモジュールは複数の送信ビームを供給する能力を有し、各送信ビームはＵＥの別々の組に対する通信信号を伝送することができ、
各ビーム形成装置は、前記ＲＦモジュールと関連して動作し、前記基地局のアンテナアレイシステムによって発生することができる送信ビーム範囲内の一組の所望の送信ビームを形成することを特徴とする請求項６１に記載の無線通信システム。
【請求項７０】
複数の移動体ユーザ機器（ＵＥ）をさらに備え、各ＵＥは、
関連するアンテナを有するＲＦモジュールと、
衛星利用測位（ＧＰＳ）システムを使用して現在のＵＥジオロケーションを判別するように構成されているジオロケーションプロセッサとを含むことを特徴とする請求項５７に記載の無線通信システム。
【請求項７１】
複数の移動体ユーザ機器（ＵＥ）をさらに備え、各ＵＥは、
ＲＦモジュールおよび関連するアンテナアレイシステムと、
前記ＲＦモジュールと関連して動作し、前記アンテナアレイシステムが発生することができるビーム範囲内の所望のビームを形成するビーム形成装置と、
選択された基地局の前記知られている位置のデータに関する推定ＵＥ位置のＵＥジオロケーションデータを処理し、選択されたパラメータを前記ビーム形成装置に出力するように構成されている前記ビーム形成装置に結合され、前記ビーム形成装置は選択された基地局の前記知られている位置に関するＵＥジオロケーションデータが前記ジオロケーションプロセッサにより処理される前記選択された基地局の前記知られている位置を包含するシェーピングされたビームで前記選択されている基地局に対する通信データを送信または受信する前記ＲＦモジュールを制御するジオロケーションプロセッサとを含むことを特徴とする請求項５７に記載の無線通信システム。